(57)【要約】      （修正有）【課題】１つの発光ダイオードと、少なくとももう１つの発光ダイオードを  同時に  かつ  高い効率で動作させる。【解決手段】この回路は、第１発光ダイオード（Ｄ＿１）が  第１の設定輝度で発光するように  動作電流（Ｉｄ＿１）をスイッチングする第１スイッチデバイス（Ｓｗ＿１）と、第２発光ダイオード（Ｄ＿２）が  第２の設定輝度で発光するように  動作電流（Ｉｄ＿２）をスイッチングする第２スイッチデバイス（Ｓｗ＿２）と、上記スイッチングデバイス（Ｓｗ＿１、Ｓｗ＿２）を駆動するための論理回路（１）で  構成されている。論理回路（１）は、発光ダイオード（Ｄ＿１、Ｄ＿２）の各動作電流を同時にスイッチオンしないように、または同時にスイッチオンしていないように備えられている。【選択図】図１
2006261682.tif 000002
【特許請求の範囲】
【請求項１】
第１発光ダイオード構成（Ｄ＿１）と、少なくとももう１つの発光ダイオード構成（Ｄ＿２、…、Ｄ＿Ｎ）とを同時に動作させるとともに、
予め設定可能、または予め設定された第１の輝度で第１発光ダイオード構成（Ｄ＿１）が発光するように、上記第１発光ダイオード構成（Ｄ＿１）に対する第１動作電流（Ｉｄ＿１）を交互にスイッチオンおよびスイッチオフするための第１スイッチデバイス（Ｓｗ＿１）と、
予め設定可能、または予め設定された別の輝度で上記少なくとももう１つの発光ダイオード構成（Ｄ＿２、…、Ｄ＿Ｎ）が発光するように、上記少なくとももう１つの発光ダイオード構成（Ｄ＿２、…、Ｄ＿Ｎ）に対する別の動作電流（Ｉｄ＿２、…、Ｉｄ＿Ｎ）を交互にスイッチオンおよびスイッチオフするための、少なくとももう１つのスイッチデバイス（Ｓｗ＿１）と、
を含んでいる回路構成であって、
上記スイッチングデバイス（Ｓｗ＿２、…、Ｓｗ＿Ｎ）を駆動するための論理回路（１）が備えられていて、
上記論理回路（１）は、全ての上記発光ダイオード構成（Ｄ＿１、Ｄ＿２、…、Ｄ＿Ｎ）が、対応する発光ダイオード構成（Ｄ＿１、Ｄ＿２、…、Ｄ＿Ｎ）に対する各動作電流（Ｉｄ＿１、Ｉｄ＿２、…、Ｉｄ＿Ｎ）を同時にスイッチオンしないように、または同時にスイッチオンしていないように備えられている、回路構成。
【請求項２】
上記論理回路（１）が、
２つ以上の発光ダイオード構成（Ｄ＿１、Ｄ＿２、…、Ｄ＿Ｎ）が、対応する発光ダイオード構成（Ｄ＿１、Ｄ＿２、…、Ｄ＿Ｎ）に対する各動作電流（Ｉｄ＿１、Ｉｄ＿２、…、Ｉｄ＿Ｎ）を同時にスイッチオンしない、または同時にスイッチオンしていないように上記スイッチングデバイス（Ｓｗ＿２、…、Ｓｗ＿Ｎ）を駆動するように設計されている、請求項１に記載の回路構成。
【請求項３】
上記論理回路（１）が、上記スイッチングデバイス（Ｓｗ＿１、Ｓｗ＿２、…、Ｓｗ＿Ｎ）を周期クロックにおいて駆動するように設計されている、請求項１または請求項２のいずれか一項に記載の回路構成。
【請求項４】
上記論理回路（１）が、予め設定された、または予め設定可能なマーク／スペース比（ｔｏｎ＿１、ｔｏｎ＿２、…、ｔｏｎ＿Ｎ）によって上記スイッチングデバイス（Ｓｗ＿１、Ｓｗ＿２、…、Ｓｗ＿Ｎ）を駆動するように設計されている、請求項１ないし請求項３のいずれか一項に記載の回路構成。
【請求項５】
上記第１発光ダイオード構成が、１つの発光ダイオード（Ｄ＿１）、または、複数の発光ダイオードからなる並列回路、および／または、複数の発光ダイオードからなる直列回路であって、または含んでいて、そして／または、
上記少なくとももう１つの発光ダイオード構成が、１つの発光ダイオード（Ｄ＿２、…、Ｄ＿Ｎ）、または、複数の発光ダイオードからなる並列回路、および／または、複数の発光ダイオードからなる直列回路である、または含んでいる、請求項１ないし請求項４のいずれか一項に記載の回路構成。
【請求項６】
上記第１スイッチイングデバイスがトランジスタであって、特に、バイポーラトランジスタ、または電界効果トランジスタであって、そして／または、
上記少なくとももう１つのスイッチングデバイス（Ｓｗ＿２、…、Ｓｗ＿Ｎ）がトランジスタである、特に、バイポーラトランジスタ、または電界効果トランジスタである、請求項１ないし請求項５のいずれか一項に記載の回路構成。
【請求項７】
上記第１発光ダイオード構成（Ｄ＿１）および上記少なくとももう１つの発光ダイオード構成（Ｄ＿２、…、Ｄ＿Ｎ）に対して全ての動作電流（Ｉ＿ｏｕｔ）を供給する電流源（２、２’）が備えられている、請求項１ないし請求項６のいずれか一項に記載の回路構成。
【請求項８】
上記電流源（２、２’）が定電流源（２、２’）であって、特に、出力電流がプリセットおよび／または調整可能である定電流源（２’）である、請求項７に記載の回路構成。
【請求項９】
上記電流源（２、２’）がスイッチモードの電源（２、２’）であって、特に、降圧コンバータ（２、２’）または昇圧コンバータである、請求項８に記載の回路構成。
【請求項１０】
上記発光ダイオード構成（Ｄ＿１、Ｄ＿２、…、Ｄ＿Ｎ）の少なくとも１つにおいてエラーを識別するためのエラー識別回路（１３）が備えられている、請求項１ないし請求項９のいずれか一項に記載の回路構成。
【請求項１１】
上記エラー識別回路（１３）が、
上記発光ダイオード構成（Ｄ＿１、Ｄ＿２、…、Ｄ＿Ｎ）の少なくとも１つにおいて過電圧を識別するための過電圧識別デバイス（１８）と、
上記発光ダイオード構成（Ｄ＿１、Ｄ＿２、…、Ｄ＿Ｎ）の少なくとも１つにおいて不足電圧を識別するための不足電圧識別デバイス（１９）と、を含んでいる、請求項１０に記載の回路構成。
【請求項１２】
第１発光ダイオード構成（Ｄ＿１）と、少なくとももう１つの発光ダイオード構成（Ｄ＿２、…、Ｄ＿Ｎ）とを同時に動作させ、かつ、
予め設定可能、または予め設定された第１の輝度で上記第１発光ダイオード構成（Ｄ＿１）が発光するように、上記第１発光ダイオード構成（Ｄ＿１）に対する第１動作電流（Ｉｄ＿１）を交互にスイッチオンおよびスイッチオフし、
予め設定可能、または予め設定された別の輝度で上記少なくとももう１つの発光ダイオード構成（Ｄ＿２、…、Ｄ＿Ｎ）が発光するように、上記少なくとももう１つの発光ダイオード構成（Ｄ＿２、…、Ｄ＿Ｎ）に対する別の動作電流（Ｉｄ＿２、…、Ｉｄ＿Ｎ）を交互にスイッチオンおよびスイッチオフする方法であって、
全ての上記発光ダイオード構成（Ｄ＿１、Ｄ＿２、…、Ｄ＿Ｎ）の全ての上記動作電流（Ｉｄ＿１、Ｉｄ＿２、…、Ｉｄ＿Ｎ）が同時にスイッチオンされない、またはされていない、方法。
【請求項１３】
２つ以上の上記発光ダイオード構成（Ｄ＿１、Ｄ＿２、…、Ｄ＿Ｎ）の上記動作電流（Ｉｄ＿１、Ｉｄ＿２、…、Ｉｄ＿Ｎ）が同時にスイッチオンされない、またはされていない、請求項１２に記載の方法。
【請求項１４】
上記発光ダイオード構成（Ｄ＿１、Ｄ＿２、…、Ｄ＿Ｎ）の上記動作電流（Ｉｄ＿１、Ｉｄ＿２、…、Ｉｄ＿Ｎ）が周期クロックにおいてスイッチオンされる、請求項１２または請求項１３のいずれか一項に記載の方法。
【請求項１５】
上記発光ダイオード構成（Ｄ＿１、Ｄ＿２、…、Ｄ＿Ｎ）の上記動作電流（Ｉｄ＿１、Ｉｄ＿２、…、Ｉｄ＿Ｎ）が、予め設定された、または予め設定可能なマーク／スペース比（ｔｏｎ＿１、ｔｏｎ＿２、…、ｔｏｎ＿Ｎ）によってスイッチオンされる、請求項１２ないし請求項１４のいずれか一項に記載の方法。
【請求項１６】
上記第１発光ダイオード構成が、１つの発光ダイオード（Ｄ＿１）、または、複数の発光ダイオードからなる並列回路、および／または、複数の発光ダイオードからなる直列回路であって、または含んでいて、そして／または、
上記少なくとももう１つの発光ダイオード構成が、１つの発光ダイオード（Ｄ＿２、…、Ｄ＿Ｎ）、または、複数の発光ダイオードからなる並列回路、および／または、複数の発光ダイオードからなる直列回路である、または含んでいる、請求項１２ないし請求項１５のいずれか一項に記載の方法。
【請求項１７】
上記第１発光ダイオード構成（Ｄ＿１）および上記少なくとももう１つの発光ダイオード構成（Ｄ＿２、…、Ｄ＿Ｎ）に対する全動作電流（Ｉ＿ｏｕｔ）が、１つの電流源（２、２’）から供給される、請求項１２ないし請求項１６のいずれか一項に記載の方法。
【請求項１８】
上記全動作電流（Ｉ＿ｏｕｔ）が、プリセットおよび／または調整可能な、請求項１７に記載の方法。
【請求項１９】
上記発光ダイオード構成（Ｄ＿１、Ｄ＿２、…、Ｄ＿Ｎ）の個々または複数個をスイッチオンして、予め設定したまたは予め設定可能な輝度を得るために、上記全動作電流（Ｉ＿ｏｕｔ）を、それぞれの電流要求に動的に適合させる、請求項１８に記載の方法。
【請求項２０】
エラーが発生したか否かを判定するために、上記発光ダイオード構成（Ｄ＿１、Ｄ＿２、…、Ｄ＿Ｎ）の少なくとも１つが調べられる、請求項１２ないし請求項１９のいずれか一項に記載の方法。
【請求項２１】
過電圧が発生したか否かを判定するために、上記発光ダイオード構成（Ｄ＿１、Ｄ＿２、…、Ｄ＿Ｎ）の少なくとも１つが調べられ、そして／または、
不足電圧が発生したか否かを判定するために、上記発光ダイオード構成（Ｄ＿１、Ｄ＿２、…、Ｄ＿Ｎ）の少なくとも１つが調べられる、請求項２０に記載の方法。
【発明の詳細な説明】
【発明の詳細な説明】
【０００１】
本発明は、請求項１の導入部に記載の、第１の発光ダイオード構成と、少なくとももう１つの発光ダイオード構成とを同時に動作させるための回路構成に関する。本発明はさらに、請求項１２の導入部に記載の、第１の発光ダイオード構成と、少なくとももう１つの発光ダイオード構成とを同時に動作させるための方法に関する。
【０００２】
発光ダイオード（ＬＥＤ）は、その応用が増加してきている発光手段として関心を集めている。発光ダイオードは、特に、自動車産業における白熱電球に代わるものとして用いられている。これが可能になったのは、現在では、発光ダイオードが、従来の発光手段に匹敵する輝度を備えているからである。発光ダイオードは、より費用効率がよく、ほぼ任意の形状に形成可能であり、さらに従来の同輝度の発光素子と比べてエネルギー消費が少ないため、従来の発光手段よりも好まれて用いられている。
【０００３】
特に自動車への応用では、多くの場合、用いる発光手段（特に発光ダイオードまたは発光ダイオード構成）の輝度を、それぞれの周囲の光条件へ適合させる必要がある、あるいは同様の適合を可能にする必要がある。超高輝度発光ダイオードの世代が新しくなるたびに、電流消費、したがって電力損失が増えていくため、それぞれの応用に従って、輝度だけでなく最大電力消費量を制限する必要もある。
【０００４】
発光ダイオードまたは発光ダイオード構成が発する輝度を設定または調整するため、および電流消費を制限するために、従来技術では、発光ダイオードまたは発光ダイオード構成の上流に直列の直流抵抗（nonreactive series resistor）を接続することが知られている。しかしこの解決策は、電力損失が大きく、かつ動作電流が動作電圧に依存するという欠点がある。
【０００５】
輝度を調整し、かつ電力損失を低減するために、発光ダイオードまたは発光ダイオード構成の動作電流は、従来技術に従って規則的にパルス幅変調が行われる。
【０００６】
パルス幅変調された動作電流は、例えば、上記直列の直流抵抗に直列に接続されていて、かつ状況に応じて開閉するスイッチを用いることによって得られる。しかしながら、この形態をもってしても、電力損失が大きく、かつ動作電流が動作電圧に依存するという問題を完全に取り除くことはできない。
【０００７】
発光ダイオードまたは発光ダイオード構成に対して動作電流を供給する電流源を調整する同様の方法が、従来技術に従ってよく用いられている。しかしこの種類の回路構成においても、製品の動作電圧とダイオード電圧との差異およびダイオード電流によって生じる電力損失が大きい。
【０００８】
電力損失を（また、もし適切である場合、輝度の調整性／設定性も同時に併せて）低減するために、各発光ダイオードの、または複数の発光ダイオードを有した各発光ダイオード構成の上流に降圧コンバータ（バックコンバータとも称される）を接続することが知られている。このような降圧コンバータは、一般的に、トランジスタであるスイッチと、そのスイッチに直列に接続された還流ダイオード（freewheeling diode）とを備え、さらに、スイッチと還流ダイオードとの間のノードに配置されたインダクタコイルを（一般的には外側に）備えている。スイッチとして動作する上記トランジスタは、高周波（一般的には２０ｋＨｚ〜数ＭＨｚ）において、パルス幅変調された制御電圧を用いてオンおよびオフされる。発光ダイオードまたは発光ダイオード構成に対する動作電流を表している平均出力電流は、降圧レギュレータの連続動作中に、本質的に周期の長さに対するスイッチオン時間の割合、つまりデューティ比またはデューティファクタによって決定される。
【０００９】
改良されたこの形態は、前述した問題を十分に解決するものである。しかし、各発光ダイオードの上流、または複数の発光ダイオードを有した各発光ダイオード構成の上流を接続した降圧コンバータを備えている上記のような回路構成は、各降圧コンバータに対してインダクタコイルが必要であるので、この回路構成は比較的費用がかさみ、ほとんど用いられていない。
【００１０】
したがって、本発明は、予め設定した輝度のために、第１の発光ダイオード構成と、少なくとももう１つの発光ダイオード構成とを、同時に、かつ高い費用効率で動作させるための回路構成および方法を提供することを目的とする。
【００１１】
一般的な回路構成の場合は、請求項１の特徴部分に記載の特徴によって、そして一般的な方法の場合は、請求項１２の特徴部分に記載の特徴によって、上記目的は達成される。
【００１２】
本発明の有利な実施形態および発展については、従属請求項に明記されている。
【００１３】
本発明は、第１の発光ダイオード構成と、少なくとももう１つの発光ダイオード構成とを同時に動作させるための方法に基づいている。本方法では、上記第１の発光ダイオード構成が、予め設定可能、または予め設定した第１の輝度で発光するように、上記第１の発光ダイオード構成に対する第１の動作電流が交互にスイッチオンおよびオフされる。本方法ではまた、上記少なくとももう１つの発光ダイオード構成が、予め設定可能、または予め設定した別の輝度で発光するように、上記少なくとももう１つの発光ダイオード構成に対する別の動作電流が、上記と同様に交互にスイッチオンおよびオフされる。この場合の輝度（brightness）は、閃光と見なされるような、明るくなって消えるようなものではなく、輝度が本質的に変わらない継続的な発光として理解される。
【００１４】
当業者には言うまでもなく、上記第１の発光ダイオード構成、および／または、上記少なくとももう１つの発光ダイオード構成は、それぞれ、１つの発光ダイオード、または、複数の発光ダイオードによって形成されている並列回路、または、複数の発光ダイオードによって形成されている直列回路であってもよく、あるいは有していてもよい。
【００１５】
本発明は、「同時に動作する全ての発光ダイオード構成（発光ダイオード、または発光ダイオードグループ）に要する動作電流消費の合計は、全ての発光ダイオード構成に対して動作電流を同時に供給する必要がある場合に特に高くなる」という見識に基づいている。これによって、発光ダイオード構成に対して全ての動作電流を単体で供給する電流源を相応に大きくする必要性、あるいは、前述したように、異なる発光ダイオードまたは発光ダイオードグループに個々に割り当てられた複数の電流源を備える必要性が生じる。これらの解決策はいずれも、比較的費用がかさむ。
【００１６】
したがって、本発明は、全ての発光ダイオード構成に対する全ての動作電流が同時にスイッチオンされない、またはスイッチオンされていないように駆動される、異なる発光ダイオードまたは発光ダイオードグループを提供する。全ての動作電流を供給する電流源の電力消費はより低いものであってよく、あるいは、複数の発光ダイオードまたは発光ダイオードグループを、同じ電流源によって駆動するグループへまとめてもよい。
【００１７】
電流源を得るためには、一般的にインダクタンスが必要である。本発明の利点は、複数の発光ダイオード構成を駆動するために、１つの（比較的高価な）インダクタンスのみが必要である点にある。
【００１８】
回路に関しては、本発明による方法は、例えば次のように達成することができる：第１の発光ダイオード構成と、少なくとももう１つの発光ダイオード構成とを、本発明に従って同時に動作させるための回路構成は、第１のスイッチングデバイスを備えている。この第１のスイッチングデバイスは、上記第１の発光ダイオード構成に対する第１の動作電流を交互にスイッチオンおよびオフするために備えられていて、上記第１の発光ダイオード構成が、予め設定可能、または予め設定した第１の輝度で発光するように備えられている。上記少なくとももう１つの発光ダイオード構成を動作させるために、上記回路構成は、対応する別のスイッチングデバイスを備えている。この別のスイッチングデバイスは、上記少なくとももう１つの発光ダイオード構成に対する別の動作電流を、上記と同様に、交互にスイッチオンおよびオフするために備えられていて、上記少なくとももう１つの発光ダイオード構成が、予め設定可能、または予め設定された別の輝度で発光するように備えられている。
【００１９】
上記第１のスイッチングデバイス、および／または、上記少なくとももう１つのスイッチングデバイスは、例えばトランジスタ（特に、バイポーラトランジスタ、または電界効果トランジスタ）によって形成できる。
【００２０】
本発明によると、上記スイッチングデバイスを駆動するために論理デバイスが備えられている。この論理デバイスは、全ての発光ダイオード構成が、対応する発光ダイオード構成に対する各動作電流を同時にスイッチオンしないように、または同時にスイッチオンしていないように備えられている。
【００２１】
上記の説明は、全ての発光ダイオードまたは発光ダイオード構成に対して、所望する輝度を得るために必要な動作電流が同時に印加されることを防ぐことに関している。複数の発光ダイオード構成に対する動作電流の同時印加は基本的に除外されない。
【００２２】
最大瞬間電流または電力消費が最小化されるのであれば、動作電流を供給する構成部分の定格電力が比較的低くなる、および／または、今日一般に用いられている構成に比べて、必要な構成部分の数が少なくなる。これら両対策は、費用効率が良い。
【００２３】
最大瞬間電流または電力消費は、２つ以上の発光ダイオード構成に対する動作電流が同時にスイッチオンされる、またはスイッチオンされていることを防ぐことによって最小化することができる。
【００２４】
回路に関しては、これは、本発明に従って、２つ以上の発光ダイオード構成が、対応する発光ダイオード構成に対する各動作電流を同時にスイッチオンしない、または同時にスイッチオンしていないように、上記論理デバイスが上記スイッチングデバイスを駆動することによって、達成できる。
【００２５】
簡素化するため、そして経時変化しない輝度の設定性を確実に得るための費用を最小にするために、本発明によると、発光ダイオード構成に対する動作電流が、周期クロックにおいてスイッチオンされる。したがって、本発明によると、スイッチングデバイスが周期クロックにおいて駆動されるように、論理デバイスが設計されることが好ましい。
【００２６】
上記と同様の理由のため、発光ダイオード構成の動作電流が、予め設定された、または予め設定可能なマーク／スペース比またはデューティ比によってスイッチオンおよびオフされると都合がよい。したがって、本発明の特に有利な形態の一例では、上記論理デバイスは、予め設定された、または予め設定可能なマーク／スペース比によって上記スイッチングデバイスを駆動するように設計されている。
【００２７】
既に詳述したように、上記第１の発光ダイオード構成、および上記少なくとももう１つの発光ダイオード構成に全ての動作電流を供給するために、１つの（全動作）電流源のみが備えられているのであれば、費用面において好ましい。
【００２８】
考慮される適切な電流源は、特に、少なくとも発光ダイオード構成の輝度が感知できないくらいの変化を一時的に起こすことを確実にするため、平均して一定の電流を供給する電流源である。
【００２９】
電流源から供給される出力電流、すなわち全動作電流が、プリセット可能および／または調整可能であると、非常に好ましいことが分かっている。このような介入によって、電流源を介して動作電流が供給された全ての発光ダイオード構成の基本的な輝度を、プリセット可能および／または調整することが可能になる。
【００３０】
それぞれスイッチオンされた発光ダイオード、またはそれぞれスイッチオンされた発光ダイオード構成に対して予め設定された輝度、または予め設定可能な輝度を達成するために、それぞれの（瞬間）電流要求に全動作電流を動的に適合する、または適合できると、さらなる柔軟性を得ることができる。したがって、例えば、同一の発光ダイオード構成が複数ある場合において、たとえ、論理デバイスによって各動作電流のスイッチオン期間の長さが同一になるように選択された場合でも、電流源から供給された（全）動作電流を動的に変えることによって、異なる輝度を得ることができる。
【００３１】
本発明による回路構成を実現するために、様々な種類の電流源が考慮される。例えば、電流源として、スイッチモードの電源供給装置を用いてもよい。降圧コンバータまたは昇圧コンバータを用いることが好ましい。
【００３２】
さらに、本発明によると、１つまたは複数の発光ダイオード構成においてエラーが発生したか否かをチェックできる。したがって、特に有利な改良（refinement）においては、本発明による回路構成は、少なくとも１つの発光ダイオード構成においてエラーを識別するために、エラー識別回路を有している。
【００３３】
発生し得る数々のエラーの中でも、例えば関連する発光ダイオードが焼け切れたなどの理由によって、発光ダイオードまたは発光ダイオードグループがショートしたか否かを調べることができると都合がよい。さらに、発光ダイオードまたは発光ダイオードグループが接続されているか、または正しく接続されているかを調べられることが重要である。
【００３４】
したがって、本発明によると、発光ダイオード構成の少なくとも１つを調べて、過電圧（開回路：コンタクト接続されていないことを示す）または不足電圧（短絡回路：発光ダイオードが破壊されたことを示す）が起こったか否かを判定できる。
【００３５】
したがって、本発明による回路構成は、少なくとも１つの発光ダイオード構成において過電圧を識別するための過電圧識別デバイス、および／または、少なくとも１つの発光ダイオード構成において不足電圧を識別するための不足電圧識別デバイスを備えていることが好ましい。
【００３６】
次に、本発明について、図面を参照しながらさらに詳しく説明する。全ての図面において、同一または機能的に同一の構成部分には、同一の符号が用いられている。図面は以下の通りである。
【００３７】
図１は、接続された全ての発光ダイオードに対する全動作電流源としての降圧レギュレータに基づいた、本発明による回路構成の第１の典型的な実施形態の基本的な回路図である。
【００３８】
図２は、降圧レギュレータの第１の可能な実施形態を示す図１に従った、本発明による回路構成の典型的な実施形態の回路図である。
【００３９】
図３は、図２による降圧レギュレータ内の制御信号を示す図である。
【００４０】
図４は、図１および図２による回路構成内の制御信号を示す図である。
【００４１】
図５は、接続された全ての発光ダイオードに対する全動作電流源としての降圧レギュレータに基づくとともに、過電圧および不足電圧を識別するためのエラー識別回路が備えられている、本発明による回路構成の第２の典型的な実施形態の基本的な回路図である。
【００４２】
図１に示す基本的な回路図は、出力電流Ｉ＿ｏｕｔを供給する降圧コンバータを１つと、典型的な本実施形態におけるＮ個の発光ダイオード（Ｄ＿１、…、Ｄ＿Ｎ）を駆動するため論理回路１とを含んだ、本発明による回路構成を示している。
【００４３】
降圧コンバータ２は、所望する任意の方法によって備えてよい。降圧コンバータ（またはバック（buck）コンバータ）の原理については、例えば、Ekbert Hering、Klaus Bressler、Juergen Gutekunstによる、「Elektronik fuer Ingenieure（Electronics for Engineers)」、第３版、Springer-Verlag、Berlin、Heidelberg、６２６ページ以降に記載されている。
【００４４】
入力電圧Ｖinは、入力側において、降圧コンバータ２へ供給される。出力側では、降圧コンバータ２は、供給線ｌへ供給される出力電流Ｉ＿ｏｕｔを供給する。この典型的な実施形態では、供給線ｌは、ノード１４およびノード１６から分岐しているＮ個の分岐を有している。Ｎ個の分岐は、供給線ｌ１、…、ｌＮを示している。この供給線ｌ１、…、ｌＮを介して、発光ダイオードＤ＿１、…、Ｄ＿Ｎに、それぞれの動作電流Ｉｄ＿１、…、Ｉｄ＿Ｎが供給される。
【００４５】
各発光ダイオードＤ＿１、…、Ｄ＿Ｎは、上流に接続されたスイッチＳｗ＿１、…、Ｓｗ＿Ｎによって、供給線ｌ、ｌ１、…、ｌＮを介して供給される動作電流供給から分離できる。この場合、上記スイッチは、上記ダイオードの上流または下流に挿入することができる。
【００４６】
論理回路１は、Ｎ個の制御出力を有している。この制御出力は、対応する制御線ｃ１、…、ｃＮを介して、スイッチＳｗ＿１、…、Ｓｗ＿Ｎの対応する制御入力に接続されている。スイッチＳｗ＿１、…、Ｓｗ＿Ｎは、対応する上記制御入力の駆動によって開閉される。
【００４７】
この典型的な実施形態では、一定の出力電流Ｉ＿ｏｕｔが、バックコンバータ２によって設定される。論理回路１は、様々なスイッチＳｗ＿１、…、Ｓｗ＿Ｎが、様々な発光ダイオードＤ＿１、…、Ｄ＿Ｎに対する動作電流Ｉｄ＿１、…、Ｉｄ＿Ｎにおいてスイッチする、スイッチオン時間ｔｏｎ＿１、…、ｔｏｎ＿Ｎを決定する。この場合、個々の発光ダイオードＤ＿１、…、Ｄ＿Ｎの輝度は、対応するスイッチＳｗ＿１、…、Ｓｗ＿Ｎがスイッチオンされる時間ｔｏｎ＿１、…、ｔｏｎ＿Ｎと、対応するスイッチＳｗ＿１、…、Ｓｗ＿Ｎがスイッチオフされる時間ｔｏｆｆ＿１、…、ｔｏｆｆ＿Ｎとの比率によって決定され、さらに、スイッチオン時間ｔｏｎ＿１、…、ｔｏｎ＿Ｎに流れる動作電流Ｉｄ＿１、…、Ｉｄ＿Ｎの大きさによっても決定される。
【００４８】
本発明によると、スイッチＳｗ＿１、…、Ｓｗ＿Ｎは同時にはスイッチオンされない。それぞれのダイオードＤ＿１、…、Ｄ＿Ｎに流れる平均動作電流＜Ｉｄ＿１＞、…、＜Ｉｄ＿Ｎ＞は、それぞれのスイッチＳｗ＿１、…、Ｓｗ＿Ｎがスイッチオンされる時間ｔｏｎ＿１、…、ｔｏｎ＿Ｎと、対応するスイッチＳｗ＿１、…、Ｓｗ＿Ｎが再度スイッチオンされるまでの時間ｔｏｎ＿１＋ｔｏｆｆ＿１、…、ｔｏｎ＿Ｎ＋ｔｏｆｆ＿Ｎとの比率を、バックコンバータ２からの対応する出力電圧Ｉ＿ｏｕｔで乗じることによって得られる。対応する発光ダイオードＤ＿１、…、Ｄ＿Ｎの輝度を正確に設定するために、ソフトウェアおよび論理回路１を用いて、スイッチオン時間とスイッチオフ時間との比率
ｔｏｎ＿１／ｔｏｆｆ＿１：ｔｏｎ＿Ｎ／ｔｏｆｆ＿Ｎ
を変えることができる。この比率は、以下ではマーク／スペース比と称する。
【００４９】
説明の項の導入部において記載した、従来技術による解決策とは対照的に、発光ダイオード（あるいは、適切であるならば、発光ダイオードグループ）の輝度を調整するためのバックコンバータを使用しても、並列接続された複数の発光ダイオードまたは発光ダイオードグループに対して上記バックコンバータを用いるのであれば、この解決策の費用がかさばることはない。したがって、バックコンバータを使用できる可能性が大幅に改善される。
【００５０】
言うまでもなく、典型的な本実施形態において用いられている降圧レギュレータの代わりに、（適切であるならば、調整可能な出力電流を有する）スイッチモードの電源供給装置を使用することも可能である。バックコンバータの代わりに昇圧コンバータを使用してもよい。バックコンバータを用いることによって、他の解決策と比べて、全システムの効率を大幅に改善できるため、優れた解決策をなすことができる。
【００５１】
バックコンバータ２の出力電流Ｉ＿ｏｕｔは、例えば、内部基準電圧または外部基準電圧、あるいは、内部基準電流または外部基準電流、あるいは、内部基準電流または内部基準電圧の所定割合としてデジタル命令を用いて形成してもよい。
【００５２】
１つ以上のスイッチＳｗ＿１、…、Ｓｗ＿Ｎをスイッチオンする方法と同様の方法によって、上記バックコンバータ（または、出力電流を供給する別の回路構成）の出力電流Ｉ＿ｏｕｔを変えるようにしてもよい。
【００５３】
図１に記載の回路構成には、例えば図５に示されているような、例えばエラー識別回路１３が備えられていてもよい。図５に示す典型的な実施形態では、エラー識別回路１３は、２つの電圧比較器１８および１９を有している。これら電圧比較器は、基準電位３に対する供給線ｌの電圧と、２つの基準電圧ＨＶ、ＬＶとを比較する。一方の基準信号は過電圧基準信号ＨＶであって、他方は不足電圧基準信号ＬＶである。
【００５４】
供給線ｌにおける電圧が、過電圧基準信号ＨＶより大きい場合であれば、電圧比較器１８は、この過剰を示す信号ＯＣ（開回路）を出力する。過電圧基準信号ＨＶは、スイッチＳｗ＿１、…、Ｓｗ＿Ｎが閉じた状態において、それぞれの分岐ｌ１、…、ｌＮを流れる出力電流Ｉ＿ｏｕｔによって作用される電圧降下よりも幾分高く選択されている。スイッチＳｗ＿１、…、Ｓｗ＿Ｎが閉じた状態において分岐ｌ１、…、ｌＮを流れる実際の電圧値が、予め設定されたこの過電圧値ＨＶを超過した場合、これは、対応する分岐ｌ１、…、ｌＮには電流が流れていない、あるいは、極めて低い電流Ｉｄ＿１、…、Ｉｄ＿Ｎが流れていることを示す。特に前者の例では、分岐ｌ１、…、ｌＮにおける、対応する発光ダイオードＤ＿１、…、Ｄ＿Ｎが、コンタクト接続していない、あるいは破壊されたことを示している。
【００５５】
同様に、不足電圧信号ＬＶは、スイッチＳｗ＿１、…、Ｓｗ＿Ｎが閉じた状態において、対応する分岐ｌ１、…、ｌＮにおいて一般的に起こる電圧降下よりも幾分低く選択されている。対応する分岐ｌ１、…、ｌＮのスイッチＳｗ＿１、…、Ｓｗ＿Ｎが閉じた状態において、供給線ｌにおける電圧が、予め設定した不足電圧基準値ＬＶより低ければ、電圧比較器１９は、対応する信号ＳＣ（短絡回路）を出力する。供給線ｌの電圧が、不足電圧基準信号ＬＶより低ければ、これは、スイッチが入れられた関連する分岐ｌ１、…、ｌＮが、完全に、または部分的に短絡していることを示している。
【００５６】
電圧比較器１８および１９の瞬間出力信号ＯＣおよびＳＣが、駆動線ｃ１、…、ｃＮを介して、論理回路１によって予め設定されたスイッチＳｗ＿１、…、Ｓｗ＿Ｎのスイッチ位置（switch position）と結合される場合、分岐ｌ１、…、ｌＮのうちのどこで発光ダイオードＤ＿１、…、Ｄ＿Ｎが不良であるかを容易に調べることができる。
【００５７】
図２は、本発明に係る種類の回路構成における降圧レギュレータをいかに設計するかを示している。
【００５８】
図２に示す降圧レギュレータ２’は、必須の要素として、メインスイッチＳM、還流ダイオードＤM、およびインダクタコイルＬを有している。メインスイッチＳMは、還流ダイオードＤMに直列に接続されている。入力電圧Ｖinは、この直列回路の外部端子に印加できる。インダクタコイルＬは、スイッチＳMと還流ダイオードＤMとの間にあるノード１１に接続されている。測定抵抗Ｒsenseは、インダクタコイルＬに直列に接続されている。供給線ｌは、測定抵抗Ｒsenseに隣接している。この供給線ｌは、典型的な本実施形態においては、上述した方法によって、発光ダイオードＤ＿１、Ｄ＿２、…、Ｄ＿Ｎに対する供給線ｌ１、ｌ２、…、ｌＮへ分岐している。接地電位３に接続された出力キャパシタンスＣ＿ｏｕｔは、測定抵抗Ｒsenseの出力ノード９に接続されている。インダクタコイルＬと測定抵抗Ｒsenseとの間にあるノード８は、測定増幅器Ａ＿senseの第１入力Ｅsense1に接続されている。測定抵抗Ｒsenseを供給線ｌに接続しているノード９は、測定増幅器Ａ＿senseの第２入力Ｅsense2に接続されている。
【００５９】
測定増幅器Ａ＿senseの出力Ａsenseは、直流抵抗Ｒ＿ｃに接続されている。直流抵抗Ｒ＿ｃの下流には、基準接地電位３に接続されたキャパシタＣ＿ｃが、ノード１０を介して直列に接続されている。
【００６０】
ノード１０は、エラー増幅器Ａ＿errorの第１入力Ｅerror1に接続されている。エラー増幅器Ａ＿errorの出力Ａerrorは、電圧比較器Ｃｏｍｐの第１入力Ｅcomp1に接続されている。電圧比較器Ｃｏｍｐの出力Ａcompは、ラッチ６のリセット入力ＥRに接続されている。ラッチ６の出力Ａ6は、ドライバ７の入力Ｅ7に接続されている。ドライバ７の出力Ａ7は、メインスイッチＳMの制御入力ＥSMに接続されている。本発明の必須構成部品として図２にも示されている論理回路１は、選択出力Ａ1を有している。この選択出力Ａ1は、選択線Ｓを介して、選択回路１２の第１入力Ｅ12,1に接続されている。選択回路１２の出力Ａ12は、エラー増幅器Ａ＿errorの第２入力Ｅerror2に接続されている。
【００６１】
上記のような方法によって、論理回路１は、発光ダイオードＤ＿１、Ｄ＿２、…、Ｄ＿Ｎの上流に接続されたスイッチＳｗ＿１、Ｓｗ＿２、…、Ｓｗ＿Ｎの、対応する制御入力ＣSW-1、ＣSW-2、…、ＣSW-Nに接続された制御出力Ｃ1,1、Ｃ1,2、…、Ｃ1,Nを有している。
【００６２】
図２に示す回路構成の機能について、以下に説明する。
【００６３】
降圧コンバータ２’の通常の矩形パルス動作がとられると、誘導電流Ｉ＿Ｌは、本質的に三角波の形態を示す。誘導電流Ｉ＿Ｌの形態は、抵抗の小さい測定抵抗Ｒsenseにおいて、測定電圧Ｕsenseとして測定される。典型的な本実施形態では、測定電圧Ｕsenseは、利得係数（gain factor）Ａｓａを用いて、測定増幅器Ａ＿senseによって増幅され、そして直流抵抗Ｒ＿ｃおよびキャパシタＣ＿ｃを有するＲＣフィルタ４によってフィルターがかけられる。増幅され、かつフィルターがかけられた測定信号Ｖｉ＿Ｌ＿ｆは、平均誘導電流＜Ｉ＿Ｌ＞と比例している。これについては、次の方程式で表される。
Ｖｉ＿Ｌ＿ｆ＝＜Ｉ＿Ｌ・Ｒsense・Ａｓａ＞＝ｋ・＜Ｉ＿Ｌ＞
上記において、平均値は＜＞によって識別され、またｋは定値を示している。
【００６４】
フィルター出力信号Ｖｉ＿Ｌ＿ｆは、第１入力Ｅerror1に供給される。エラー増幅器Ａ＿errorは、利得係数Ａｅａを用いて増幅されたエラー電圧信号Ｖｅｒｒを出力する。このエラー電圧信号Ｖｅｒｒは、フィルター出力電圧Ｖｉ＿Ｌ＿ｆと、基準電圧Ｖ＿ｒｅｆとの差によって生じる。
【００６５】
次に、エラー信号Ｖｅｒｒは、電圧比較器Ｃｏｍｐにおいて、内部クロックのこぎり信号（internal clocked sawtooth signal）５と比較される。この内部クロックのこぎり信号５は、典型的な本実施形態においては、図３に示されているように、矩形波クロック信号ｃｌｏｃｋから生じる。のこぎり信号５がエラー信号Ｖｅｒｒより大きい場合、電圧比較器Ｃｏｍｐの出力ＡCompにおいて、論理「ハイ」信号が存在している。のこぎり信号５がエラー信号Ｖｅｒｒより小さい場合、電圧比較器Ｃｏｍｐの出力ＡCompにおいて、論理「ロー」信号を取り出すことができる。
【００６６】
ラッチ６には、一方では、セット信号としての上記クロック信号ｃｌｏｃｋが、矩形増幅を用いて、セット入力ＥSを介して供給される。ラッチ６には、他方では、リセット入力ＥRを介して、リセット信号としての電圧比較器出力信号ＡCompが供給される。上記クロック信号ｃｌｏｃｋの立ち上がりエッジを通じて、ラッチ６の出力Ａ6における出力信号が、「ハイ」状態になる。電圧比較器Ｃｏｍｐの出力における信号が、「ハイ」状態になるとすぐに（つまり、上記のこぎり信号がエラー信号Ｖｅｒｒより大きくなるとすぐに）、上記クロック信号ｃｌｏｃｋによってラッチ６において「ハイ状態」になった出力信号Ａ6が、「ロー」状態にリセットされる。この結果、パルス幅変調された周期的矩形信号ＤＣが、適切である場合には、ラッチ６の出力Ａ6において発生する（図３を参照）。
【００６７】
上記矩形信号ＤＣは、メインスイッチＳMを駆動するためのドライバ７において調節される。パルス幅変調され、かつドライバ７において調節された信号ＤＣの各「ハイ」状態は、スイッチＳMを閉じ、そして信号ＤＣの各「ロー」状態は、スイッチＳMを開く。これらのスイッチイング動作は、インダクタンスＬにおける電流Ｉ＿Ｌを決定する。
【００６８】
エラー増幅器Ａ＿errorの利得Ａｅａが大きければ大きいほど、平均誘導電流＜Ｉ＿Ｌ＞をより正確に設定できる。以下は、エラー信号がＶｅｒｒが０より大きい値をとりながら０に近づく場合に成り立つ。
Ｖref＝ｋ・＜Ｉ＿Ｌ＞
注：基準電圧信号Ｖrefはまた、例えば以下のような方程式に従って、基準電流reference＿currentから得てもよい。
Ｖref＝ｆ（reference＿current）＝α・reference＿current
上記において、αは、選択回路１２を介した論理回路１の駆動によって生じる。αの単位はボルト／アンペアである。
【００６９】
次に、出力キャパシタンスＣ＿ｏｕｔによって滑らかにされた出力電流Ｉ＿ｏｕｔは、降圧コンバータ２’の出力Ａ2'から取り出すことができる。上記出力電流Ｉ＿ｏｕｔは、接続された全ての発光ダイオードＤ＿１、Ｄ＿２、…、Ｄ＿Ｎに対する動作電流として機能する。典型的な本実施形態においては、発光ダイオードＤ＿１、Ｄ＿２、…、Ｄ＿Ｎをそれぞれ有したＮ個の分岐ｌ１、ｌ２、…、ｌＮは、出力電流Ｉ＿ｏｕｔが供給された供給線ｌに接続されている。各分岐ｌ１、ｌ２、…、ｌＮは、スイッチＳｗ＿１、Ｓｗ＿２、Ｓｗ＿ｉ、…、Ｓｗ＿Ｎを介して、供給線ｌから分離できる。
【００７０】
スイッチＳｗ＿ｉと発光ダイオードＤ＿ｉとによって形成された個々の分岐ｌｉ（ｉ＝１、…、Ｎ）を考慮してみると、発光ダイオードＤ＿ｉを流れる平均ダイオード電流＜Ｉｄ＿ｉ＞は、次の通りである。
＜Ｉｄ＿ｉ＞＝Ｉ＿ｏｕｔ・ｔｏｎ＿ｉ／Ｔｄ
上記において、ｔｏｎ＿ｉは、スイッチＳｗ＿ｉのスイッチオン時間であり、Ｔｄは、スイッチＳｗ＿ｉの第１スイッチイングオンと、スイッチＳｗ＿ｉの第２スイッチイングオンとの時間差である。この場合、スイッチオン時間ｔｏｎ＿ｉは、クロック信号ｃｌｏｃｋの周期ＴSの倍数として表してもよい。
【００７１】
次に、２つ以上のスイッチＳｗ＿１、Ｓｗ＿２、Ｓｗ＿ｉ、…、Ｓｗ＿Ｎが同時にスイッチオンされないと考えるならば、スイッチオン周期時間Ｔｄは、正確に、全スイッチＳｗ＿ｉのスイッチオン時間ｔｏｎ＿ｉの和から以下のようになる。
Ｔｄ＝Σi=1...Nｔｏｎ＿ｉ＝Σi=1...NＫ＿ｉ・Ｔｓ
上記において、Ｋ＿ｉは、様々な分岐ｌ１、ｌ２、…、ｌＮにおいて正確な動作電流Ｉｄ＿１、Ｉｄ＿２、…、Ｉｄ＿Ｎを得るために論理回路１によって予め設定されている、降圧コンバータ２’のクロック信号ｃｌｏｃｋの周期時間Ｔｓの個数である。
【００７２】
さらに本発明によると、上記システムは、発光ダイオードＤ＿１、Ｄ＿２、…、Ｄ＿ｉ、…、Ｄ＿Ｎにおいて所望の平均動作電流＜Ｉｄ＿１＞、＜Ｉｄ＿２＞、…、＜Ｉｄ＿Ｎ＞を得るために、基準電圧Ｖ＿ｒｅｆを動的に変えることもできる。
【００７３】
図４は、図２に示す回路構成の場合に最も重要である、制御および動作信号の例を示している。最上部に示す時間信号の形態は、クロック信号ｃｌｏｃｋである。その下に示されているのは、時間ｔに対するスイッチ点である。このスイッチ点は、クロック信号ｃｌｏｃｋを用いてスイッチオンし、そして、調整状態に依存した時間後に再度スイッチオフする（これは、図３の下方に示す信号と対応している）。その下に示されている３つの信号の列は、時間ｔｏｎ＿１、ｔｏｎ＿２、…、ｔｏｎ＿Ｎを示している。この時間ｔｏｎ＿１、ｔｏｎ＿２、…、ｔｏｎ＿Ｎに、スイッチＳｗ＿１、Ｓｗ＿２、…、Ｓｗ＿Ｎが、発光ダイオードＤ＿１、Ｄ＿２、…、Ｄ＿Ｎに対する分岐ｌ１、ｌ２、…、ｌＮにおいて動作電流Ｉｄ＿１、Ｉｄ＿２、…、Ｉｄ＿Ｎをスイッチオンする。（注：スイッチＳｗ＿１、Ｓｗ＿２、…、Ｓｗ＿Ｎは、典型的な本実施形態では、電界効果トランジスタである。したがって、スイッチオン時間ｔｏｎ＿１、ｔｏｎ＿２、…、ｔｏｎ＿ｎは、スイッチＳｗ＿１、Ｓｗ＿２、…、Ｓｗ＿Ｎに対するゲート駆動信号Ｇａｔｅ  Ｓｗ＿１、Ｇａｔｅ  Ｓｗ＿２、…、Ｇａｔｅ  Ｓｗ＿Ｎと対応している。）時間ｔｏｎ＿１、ｔｏｎ＿２、…、ｔｏｎ＿Ｎの和は、典型的な本実施形態では、スイッチオン時間Ｔｄを正確に形成する。６番目の信号の列は、降圧コンバータ２’の誘導電流Ｉ＿Ｌを示している。この誘導電流Ｉ＿Ｌの時間的形態は、破線で示した平均値に対して、特徴的なのこぎり歯様である。最後の３つの列は、動作電流Ｉｄ＿１、Ｉｄ＿２、…、Ｉｄ＿Ｎの、それぞれの時間的形態を示す。対応するスイッチＳｗ＿１、Ｓｗ＿２、…、Ｓｗ＿Ｎの各スイッチオン時間ｔｏｎ＿１、ｔｏｎ＿２、…、ｔｏｎ＿Ｎの間は、これらの動作電流Ｉｄ＿１、Ｉｄ＿２、…、Ｉｄ＿Ｎは、降圧コンバータ２’の出力電流Ｉ＿ｏｕｔと等しい。したがって、動作電流Ｉｄ＿１、Ｉｄ＿２、…、Ｉｄ＿Ｎは、誘導電流Ｉ＿Ｌと本質的に等しい。そうでない場合、動作電流Ｉｄ＿１、Ｉｄ＿２、…、Ｉｄ＿Ｎはゼロである。したがって、平均動作電流＜Ｉｄ＿１＞、＜Ｉｄ＿２＞、…、＜Ｉｄ＿Ｎ＞は、分岐ｌ１、ｌ２、…、ｌＮにおいて生じる。分岐ｌ１、ｌ２、…、ｌＮにおける平均動作電流＜Ｉｄ＿１＞、＜Ｉｄ＿２＞、…、＜Ｉｄ＿Ｎ＞も同様に、下３つの信号の列において破線で示されている。
【００７４】
変化を加えたこの実施形態では、異なる分岐ｌ１、ｌ２、…、ｌＮにおいて異なる動作電流Ｉｄ＿１、Ｉｄ＿２、…、Ｉｄ＿Ｎを設定する可能性があることについて、ここに再度明確に指摘しておく。スイッチＳｗ＿１、Ｓｗ＿２、…、Ｓｗ＿Ｎの論理制御１を変更し、また、所望の（平均）誘導電流Ｉ＿Ｌ（＜Ｉ＿Ｌ＞）を（もし適切であれば動的に）変更するだけで、システム全体を別のアプリケーションに対して適応させることができる。
【図面の簡単な説明】
【００７５】
【図１】接続された全ての発光ダイオードに対する全動作電流源としての降圧レギュレータに基づいた、本発明による回路構成の第１の典型的な実施形態の基本的な回路図である。
【図２】降圧レギュレータの第１の可能な実施形態を示す図１に従った、本発明による回路構成の典型的な実施形態の回路図である。
【図３】図２による降圧レギュレータ内の制御信号を示す図である。
【図４】図１および図２による回路構成内の制御信号を示す図である。
【図５】接続された全ての発光ダイオードに対する全動作電流源としての降圧レギュレータに基づくとともに、過電圧および不足電圧を識別するためのエラー識別回路が備えられている、本発明による回路構成の第２の典型的な実施形態の基本的な回路図である。
【符号の説明】
【００７６】
１                論理回路
２                降圧コンバータ
２’              降圧コンバータ
３                基準接地電位
４                ＲＣフィルタ
５                のこぎり信号
６                ラッチ
７                ドライバ
８                ノード
９                ノード
１０              ノード
１１              ノード
１２              選択回路
１３              エラー識別回路
１４              ノード
１５              ノード
１６              ノード
１７              ノード
１８              電圧比較器
１９              電圧比較器
Ａ＿error            エラー増幅器
Ａ＿sense            測定増幅器
Ａ1                論理回路の出力
Ａ2                降圧コンバータの出力
Ａ12                選択回路の出力
Ａ6                ラッチの出力
Ａ7                ドライバの出力
Ａcomp              電圧比較器の出力
Ａｅａ            エラー増幅器の利得
Ａerror              エラー増幅器の出力
Ａｓａ            測定増幅器の利得
Ａsense              測定増幅器の出力
Ｃ＿ｃ            キャパシタ
ｃ１              制御線
ｃＮ              制御線
Ｃ1,1              論理回路の第１制御出力
Ｃ1,2              論理回路の第２制御出力
Ｃ1,N              論理回路の第Ｎ制御出力
ｃｌｏｃｋ        クロック信号
Ｃｏｍｐ          電圧比較器
Ｃｏｕｔ          出力キャパシタ
ＣSW-1              第１スイッチの制御入力
ＣSW-2              第２スイッチの制御入力
ＣSW-N              第Ｎスイッチの制御入力
Ｄ＿１            発光ダイオード
Ｄ＿２            発光ダイオード
ＤＣ              デューティサイクル／デューティ比
ＤM              メインダイオード、還流ダイオード
Ｅ12,1              選択回路の第１入力
Ｅ12,L2              選択回路の第２入力
Ｅ7              ドライバの入力
Ｅcomp1            電圧比較器の第１入力
Ｅcomp2            電圧比較器の第２入力
Ｅerror1            エラー増幅器の第１入力
Ｅerror2            エラー増幅器の第２入力
ＥR              リセット入力
ＥS              設定入力
Ｅsense1            測定増幅器の第１入力
Ｅsense2            測定増幅器の第２入力
ＥSM              メインスイッチの入力
ＨＶ              基準信号の過電圧
ｉ                分岐の数
Ｉ＿Ｌ            誘導電流
Ｉｄ＿１          第１動作電流
Ｉｄ＿２          第２動作電流
Ｉｄ＿ｉ          分岐ｉのダイオード電流
Ｉｄ＿Ｎ          第Ｎ動作電流
Ｉ＿ｏｕｔ        出力電流
Ｉref              基準電流
Ｋ＿ｉ            クロック周期の数
Ｌ                インダクタコイル
ｌ                供給線
ｌ１              供給線
ｌＮ              供給線
ＬＶ              不足電圧基準信号
Ｎ                分岐の数
ＯＣ              開回路表示信号
Ｒ＿ｃ            直流抵抗
Ｒｅｓｅｔ        リセット信号
Ｒ＿sense            測定抵抗
Ｓ                選択線
ＳＣ              短絡回路表示信号
Ｓｅｔ            設定信号
ＳM              メインスイッチ
Ｓｗ＿１          第１スイッチ
Ｓｗ＿２          第２スイッチ
Ｓｗ＿ｉ          第ｉスイッチ
Ｓｗ＿Ｎ          第Ｎスイッチ
ｔ                時間
Ｔｄ              全スイッチＳｗ＿ｉのスイッチオン時間合計
ｔｏｎ＿ｉ        スイッチＳｗ＿ｉのスイッチオン時間
ＴS                クロック信号ｃｌｏｃｋの周期
Ｖ＿ｒｅｆ        基準電圧
Ｖｅｒｒ          エラー電圧信号
Ｖｉ＿Ｌ＿ｆ      フィルタ出力電圧
Ｖｉｎ            入力電圧
Ｖsense              測定抵抗における電圧降下
【図１】
2006261682.tif 000003
【図２】
2006261682.tif 000004
【図３】
2006261682.tif 000005
【図４】
2006261682.tif 000006
【図５】
2006261682.tif 000007
【外国語明細書】
2006261682000001.pdf